(57)【要約】【課題】  絵柄を織り込んで構成されたものと外観及び質感が略同じであり、耐火性に優れた経机掛を提供する。【解決手段】  合成繊維製及び／又は天然繊維製等適宜の縦糸及び横糸にて織製された織布で構成された第１層１１と、所要の熱電導率を有する金属製シートで構成された第２層１２と、前同様適宜の縦糸及び横糸にて織製された様織布で構成された第３層１３とをこの順で積層してあり、第２層１２には熱伝導率が１００Ｗ／ｍＫ以上の金属製シート、好ましくは熱伝導率が２００Ｗ／ｍＫ以上の金属製シートを用いている。【選択図】  図１
0003212395.tif 000002
【実用新案登録請求の範囲】
【請求項１】
経机上に掛ける経机掛において、
織布で構成された第１層と、金属製シートで構成された第２層と、織布で構成された第３層とをこの順で積層してあることを特徴とする経机掛。
【請求項２】
前記第２層の一面に第１層が展着してあり、第２層の他面に第３層が展着してある請求項１記載の経机掛。
【請求項３】
前記第２層は、熱伝導率が１００Ｗ／ｍＫ以上の金属製シートで構成してある請求項１又は２記載の経机掛。
【請求項４】
前記第２層は、熱伝導率が２００Ｗ／ｍＫ以上の金属製シートで構成してある請求項１又は２記載の経机掛。
【請求項５】
前記第１層の表面と第３層の表面とは異ならせてある請求項１から４のいずれかに記載の経机掛。
【考案の詳細な説明】
【技術分野】
【０００１】
本考案は経机の上に敷く経机掛に関する。
【背景技術】
【０００２】
仏壇の前に設置される経机上には灯立及び香炉等の仏具が載置されるが、そのままでは経机に疵が付く虞があるため、経机と仏具との間に経机掛が介装してある。かかる経机掛は、極細の縦糸と、金糸及び／又は銀糸等の横糸とを用いて、従前からの絵柄を織り込んで構成してあるが、灯立に立てられた蝋燭又は香炉に立てられたお線香が倒れる等した場合に、当該蝋燭又はお線香の火が経机掛に移ることによって、出火の原因になる虞があった。そのため、後記する特許文献１には次のような経机掛が提案されている。
【０００３】
すなわち、シリコン製又はポリ塩化ビニル製等、難燃性の樹脂シートを長方形に成形し、その表面にシリコンインクを用いたシルクスクリーン印刷法にて、所要の文字及び／又は絵柄を印刷して経机掛を得るのである。
【先行技術文献】
【特許文献】
【０００４】
【特許文献１】実用新案登録第３１６５９０５号公報
【考案の概要】
【考案が解決しようとする課題】
【０００５】
しかしながら、このような従来の経机掛にあっては、難燃性の樹脂シートの表面に所要の文字及び／又は絵柄を印刷して構成されているため、従前からの絵柄を織り込んで構成された経机掛と、外観及び質感が大きく異なっており、経机掛が敷かれた経机の使用者に奇異な印象を与えるという問題があった。
【０００６】
本考案は斯かる事情に鑑みてなされたものであって、絵柄を織り込んで構成されたものと外観及び質感が略同じであり、耐火性に優れた経机掛を提供する。
【課題を解決するための手段】
【０００７】
（１）本考案に係る経机掛は、経机上に掛ける経机掛において、織布で構成された第１層と、金属製シートで構成された第２層と、織布で構成された第３層とをこの順で積層してあることを特徴とする。
【０００８】
本考案の経机掛にあっては、合成繊維製及び／又は天然繊維製等適宜の縦糸及び横糸にて織製された織布で構成された第１層と、所要の熱電導率を有する金属製シートで構成された第２層と、前同様適宜の縦糸及び横糸にて織製された様織布で構成された第３層とをこの順で積層してある。このような経机掛にあっては、第１層又は第３層のいずれかを表にして経机上に掛けることができるが、第１層及び第３層は織布で構成してあるため、絵柄を織り込んで構成された従来の経机掛と外観及び質感が略同じである。
【０００９】
一方、経机掛上に載置された灯立に立てられた蝋燭が倒れ、又は香炉に立てられた線香が倒れ、蝋燭又は線香の火が経机掛の第１層又は第３層に接触した場合、当該第１層又は第３層に延焼するものの、第１層及び第３層の裏面は金属製シートで構成された第２層で覆われているため、第１層又は第３層への延焼にて生じる熱は効率的に第２層へ伝導して延焼部分の温度が第１層及び第３層の発火温度以下まで急激に低下して第１層又は第３層の発火が回避される。従って、耐火性に優れている。
【００１０】
（２）本考案に係る経机掛は、前記第２層の一面に第１層が展着してあり、第２層の他面に第３層が展着してあることを特徴とする。
【００１１】
本考案の経机掛にあっては、第２層の一面に第１層が展着してあり、第２層の他面に第３層が展着してある。この場合、第２層となる帯状の金属製シートの一面及び他面にそれぞれ、第１層となる帯状の織布及び第３層となる帯状の織布を対向配置して、それぞれに適当な張力を印加しておき、この状態で、帯状の金属製シートの両面に接着剤を塗布しつつ、対をなすローラによって両帯状の織布を帯状の金属製シートの接着剤を塗布した部分に圧着させることによって、第２層の両面に第１層及び第３層を展着させる。
【００１２】
仮に、金属製シートの片面にのみ織布を展着させた経机掛では、接着剤の作用によって織布が若干収縮する一方、金属製シートにはそのような収縮が生じないため、経机掛の周囲に、織布を展着させた側の中央方向への反りが発生する。しかしながら、本考案に係る経机掛にあっては、金属製シートで構成した第２層の一面及び他面にそれぞれ織布で構成した第１層及び第３層を展着して構成してあるため、第１層に起因する反りの作用と第３層に起因する反りの作用とが互いに相殺され、経机掛の周囲に発生する反りを防止することができる。
【００１３】
（３）本考案に係る経机掛は、前記第２層は、熱伝導率が１００Ｗ／ｍＫ以上の金属製シートで構成してあることを特徴とする。
【００１４】
本考案の経机掛にあっては、第２層は、熱伝導率が１００Ｗ／ｍＫ以上の金属製シートで構成してある。第２層に熱伝導率が１００Ｗ／ｍＫ未満の金属製シートを用いた場合、第１層又は第３層の延焼が停止するまでに比較的長い時間を有するため、仮に経机掛上に紙製袋といった可燃物が載置されていると、当該可燃物に延焼し、可燃物が発火する虞がある。これに対し、第２層に熱伝導率が１００Ｗ／ｍＫ以上の金属製シートを用いた場合、第１層又は第３層の延焼を短時間で停止させることができるため、仮に経机掛上に可燃物が載置されていた場合であっても当該可燃物への延焼を回避することができる。
【００１５】
（４）本考案に係る経机掛は、前記第２層は、熱伝導率が２００Ｗ／ｍＫ以上の金属製シートで構成してあることを特徴とする。
【００１６】
本考案の経机掛にあっては、熱伝導率が２００Ｗ／ｍＫ以上の金属製シートで構成してある。第２層に熱伝導率が２００Ｗ／ｍＫ以上の金属製シートを用いた場合、第１層又は第３層の延焼範囲を可及的に狭くすることができる一方、熱伝導率が２００Ｗ／ｍＫ以上の金属製シートにあっては織布と同程度の柔軟性に仕上げることができるため、織布のみで構成した経机掛とほぼ同じ触感の経机掛を得ることができる。
【００１７】
（５）本考案に係る経机掛は、前記第１層の表面と第３層の表面とは異ならせてあることを特徴とする。
【００１８】
本考案の経机掛にあっては、第１層の表面と第３層の表面とは異ならせてある。例えば、第１層の表面には、紫色、赤色又は深緑色等の適宜の地色の中に、花柄及び／又は唐草柄等適宜の模様を織り込む一方、第３層にあっては、その表面に例えば、水色、ピンク色又は薄緑色等、第１層の地色より淡い色合の地色の中に、第１層の表面に現した模様より鮮やかな模様を織り込むことができる。
【００１９】
このように第１層の表面と第３層の表面と異ならせた場合、時期又は状況によって、第１層及び第３層の一方を選択し、選択した第１層又は第３層を表側に配置することによって、当該時期又は状況に応じたデザインの経机掛とすることができる。
【図面の簡単な説明】
【００２０】
【図１】本考案に係る経机掛の一部破断斜視図である。
【図２】図１に示した経机掛の表裏を反転させた状態を示す斜視図である。
【図３】本考案に係る経机掛の使用例を示す斜視図である。
【考案を実施するための形態】
【００２１】
図３は本考案に係る経机掛の使用例を示す斜視図であり、図中、Ｂは仏壇である。仏壇Ｂ内の上段略中央の位置には御本尊３０が配置してあり、その周囲に種々の仏具がそれぞれ所定の位置に配置してある。仏壇Ｂの前面には観音開きの扉ｂ，ｂが配設してあり、必要に応じて扉ｂ，ｂを開閉し得るようになっている。
【００２２】
仏壇Ｂは適宜高さになされた下台Ｕ上に載置してあり、下台Ｕの前方には、当該下台Ｕより少し低い高さの経机Ｋが配置してある。この経机Ｋ上には、蝋燭を立てるための灯立Ｌ、複数の線香を保持する線香差Ｓ、香炉Ｃ及びリンＲ等々が載置してあり、香炉Ｃ内には線香を立てるべく灰が充填してある。これら灯立Ｌ、線香差Ｓ及び香炉Ｃ等を直接、経机Ｋ上に載置すると当該経机Ｋの上面に疵が生じる虞があるため、前記経机Ｋの上面上には適宜形状（図３にあっては長方形）の経机掛１が予め敷設してある。
【００２３】
図１は、本考案に係る経机掛１の一部破断斜視図であり、厚さ方向を強調した拡大部分図も併記してある。また、図２は図１に示した経机掛１の表裏を反転させた状態を示す斜視図である。なお、両図中、対応する部分には同じ番号が付してある。
【００２４】
図１に示したように、本経机掛１は表側又は裏側に配される第１層１１、裏側又は表側に配される第３層１３、及び前記第1層１１と第３層１３との間に配される第２層１２を備えている。これら第１層１１、第２層１２及び第３層１３は経机掛１の厚さ方向へ積層してあり、周端縁を例えばかがり止めすることによって端部処理部１６が形成してある。
【００２５】
第１層１１は、合成繊維製及び／又は天然繊維製等適宜の縦糸及び横糸にて織製された織布で構成されており、第１層１１の表面には例えば、紫色、赤色又は深緑色等の適宜の地色の中に、花柄及び／又は唐草柄等適宜の模様を織り込むことができる。また、図２に示したように、第３層１３も前記第１層１１と同様、合成繊維製及び／又は天然繊維製等適宜の縦糸及び横糸にて織製された織布で構成されているが、第３層１３にあっては、その表面に例えば、水色、ピンク色又は薄緑色等、第１層１１の地色より淡い色合の地色の中に、第１層１１の表面に現した模様より鮮やかな模様を織り込むことができる。
【００２６】
このように、第１層１１の色合及び模様等と第３層１３の色合及び模様等とを異ならせることによって、第１層１１及び第３層１３の内の一方を例えば冬季用として、また他方を夏季用として用いることができる。他の例としては、第１層１１及び第３層１３の内の一方を墨色にすることによって、当該層を葬儀用として用いることもできる。
【００２７】
一方、前述した第２層１２は所要の熱電導率を有する金属製シートで構成されており、第２層１２の一面に前記第１層１１が、また第２層１２の他面に前記第３層１３が展着されている。前述したように第１層１１及び第３層１３は織布で構成されているため、図３に示した如く、本経机掛１上に載置された灯立Ｌに立てられた蝋燭が倒れ、又は香炉Ｃに立てられた線香が倒れ、蝋燭又は線香の火が経机掛１の第１層１１又は第３層１３に接触した場合、当該第１層１１又は第３層１３に延焼するものの、第１層１１及び第３層１３の裏面は金属製シートで構成された第２層１２で覆われているため、第１層１１又は第３層１３への延焼にて生じる熱は効率的に第２層１２へ伝導して延焼部分の温度が第１層１１及び第３層１３の発火温度以下まで急激に低下して第１層１１又は第３層１３の発火が回避される。そして、第１層１１又は第３層１３の延焼部分の温度はその後も漸次低下し、ついには延焼が停止する。
【００２８】
このように、経机掛１上に倒れた蝋燭又は線香の火が第１層１１又は第３層１３に延焼した場合であっても、金属製シートで構成された第２層１２の前記作用によって、第１層１１又は第３層１３の一部が焦げるだけで済み、経机掛１から経机Ｋ、仏壇Ｂ及び／又仏具（図３参照）への延焼が防止される。
【００２９】
このような経机掛１にあっては、前述したように第１層１１及び第３層１３は織布で構成してあるため、絵柄を織り込んで構成された従来の経机掛と外観及び質感が略同じである。一方、第１層１１又は第３層１３に延焼が生じた場合であっても、第１層１１及び第３層１３は発火することなく、その一部が焦げるだけで当該延焼が停止するため、耐火性に優れている。
【００３０】
ここで、前述した第２層１２には熱伝導率が１００Ｗ／ｍＫ以上の金属製シート、好ましくは熱伝導率が２００Ｗ／ｍＫ以上の金属製シートを用いるとよい。第２層１２に熱伝導率が１００Ｗ／ｍＫ未満の金属製シートを用いた場合、第１層１１又は第３層１３の延焼が停止するまでに比較的時間を有するため、仮に経机掛１上に香典袋といった可燃物が載置されていると、当該可燃物に延焼し、可燃物が発火する虞がある。これに対し、第２層１２に熱伝導率が１００Ｗ／ｍＫ以上の金属製シートを用いた場合、第１層１１又は第３層１３の延焼を僅かな時間で停止させることができるため、仮に経机掛１上に可燃物が載置されていた場合であっても当該可燃物への延焼が回避される。更に、第２層１２に熱伝導率が２００Ｗ／ｍＫ以上の金属製シートを用いた場合、第１層１１又は第３層１３の延焼範囲を可及的に狭くすることができる一方、熱伝導率が２００Ｗ／ｍＫ以上の金属製シートにあっては織布と同程度の柔軟性に仕上げることができるため、織布のみで構成した経机掛とほぼ同じ触感の経机掛１を得ることができる。
【００３１】
ここで、熱伝導率が２００Ｗ／ｍＫ以上の金属製シートとしては、アルミニウム製シートを用いることができる。かかる金属製シートにあっては、廉価であるため経机掛１の製造コストの上昇を可及的に低減することができる。
【００３２】
ところで、第２層１２の一面及び他面にそれぞれ第１層１１及び第３層１３を展着させるには、次のように行う。すなわち、第２層１２となる帯状の金属製シートの一面及び他面にそれぞれ、第１層１１となる帯状の織布及び第３層１３となる帯状の織布を対向配置し、それぞれに適当な張力を印加する。この状態で、帯状の金属製シートの両面に接着剤を塗布しつつ、対をなすローラによって両帯状の織布を帯状の金属製シートの接着剤を塗布した部分に圧着させる。かかる操作と並行して、金属製シートの両面に帯状の織布をそれぞれ圧着させた部分は別のローラによって巻き取っていくのである。その後、その両面に織布を展着させた金属製シートを前記ローラから巻き戻しつつ、所要の大きさに裁断し、周囲を縫製することによって裁断部分のほつれを防止する仕上げ加工を施す。
【００３３】
仮に、金属製シートの片面にのみ織布を展着させた経机掛では、前述した接着剤の作用によって織布が若干収縮する一方、金属製シートにはそのような収縮が生じないため、経机掛の周囲に、織布を展着させた側の中央方向への反りが発生する。しかしながら、本考案に係る経机掛１にあっては、金属製シートで構成した第２層１２の一面及び他面にそれぞれ織布で構成した第１層１１及び第３層１３を展着して構成してあるため、第１層１１に起因する反りの作用と第３層１３に起因する反りの作用とが互いに相殺され、経机掛  の周囲に発生する反りを防止することができる。
【００３４】
図１及び図２に示したように、本考案に係る経机掛１の第１層１１及び第３層１３には互いに異なるデザインが施してあり、時期又は状況によって、第１層１１及び第３層１３の一方を選択して、第１層１１又は第３層１３を表側に配置することによって、当該時期又は状況に応じたデザインの経机掛１とすることができるが、このとき経机掛１の周囲に反りが発生していないため、第１層１１又は第３層１３のいずれを表側にしても、外観的に何らの支障も来さない。
【符号の説明】
【００３５】
１    経机掛
１１    第１層
１２    第２層
１３    第３層
Ｂ    仏壇
Ｃ    香炉
Ｋ    経机
Ｌ    灯立
Ｓ    線香差
Ｒ    リン
【図１】
0003212395.tif 000003
【図２】
0003212395.tif 000004
【図３】
0003212395.tif 000005